(57)【要約】【課題】  １装置毎のネットワークへの増設で自動アドレス割当てを行うことが可能な無線通信システムを提供する。【解決手段】  マイクロ波無線通信装置１は系構成テーブル１７と、割振られた自装置のアドレスを保存する自アドレス保持部１８とを備えている。系構成テーブル１７においては自装置がマスタ局またはサブ・マスタ局として働く時に使用する。アドレス自動割振り制御部１６は自装置がマスタ局またはサブ・マスタ局として働く時に使用し、順次、マイクロ波無線通信装置間のＨＤＬＣリンクが確立したことを契機として配下のマイクロ波無線通信装置にアドレスを割振っていく処理を行う。スイッチ切替え制御部１９は人手を介してマスタ局、サブ・マスタ局、スレーブ局の切替えが自装置前面から操作され、自装置がどのタイプで動作すべきかの判断に使用される。【選択図】      図１                                                  
2005347982.tif 000002
【特許請求の範囲】
【請求項１】
最上位のマスタ局のマイクロ波無線通信装置からその配下の複数のマイクロ波無線通信装置へ効率的に監視制御を実施可能な無線通信システムであって、前記マイクロ波無線通信装置からなる系の構成情報を保持する系構成テーブルと、前記マイクロ波無線通信装置のＨＬＤＣ（Ｈｉｇｈ  ｌｅｖｅｌ  Ｄａｔａ  Ｌｉｎｋ  Ｃｏｎｔｒｏｌ）リンクが確立されたことを契機として当該ＨＬＤＣリンクが確立されたマイクロ波無線通信装置にアドレスを割当てる割当て制御手段と、前記割当て制御手段で割当てられたアドレスを基に前記系構成テーブルの更新を行う制御手段とを前記マイクロ波無線通信装置に有することを特徴とする無線通信システム。
【請求項２】
前記マイクロ波無線装置各々は、１台ずつ無線区間及び有線区間を交互に順次繋ぐことによって全体の系を構成することを特徴とする請求項１記載の無線通信システム。
【請求項３】
前記割当て制御手段は、前記マイクロ波無線通信装置の増設時に順次前記マイクロ波無線通信装置間の前記ＨＤＬＣリンクが確立したことを契機としてアドレス割当てを行い、
前記制御手段は、前記割当て制御手段で前記アドレス割当てが行われた時に前記系構成テーブルの更新を行うことを特徴とする請求項１または請求項２記載の無線通信システム。
【請求項４】
前記最上位のマスタ局以外のマイクロ波無線通信装置は、前記ＨＤＬＣリンクの確立時に当該ＨＤＬＣリンクが確立したことを前記最上位のマスタ局に通知することを特徴とする請求項１から請求項３のいずれか記載の無線通信システム。
【請求項５】
前記最上位のマスタ局のマイクロ波無線通信装置からその配下の複数のマイクロ波無線通信装置へポーリング信号を送出しかつそのポーリング信号の応答にて監視制御を実施するポーリングセレクティブ方式を用いることを特徴とする請求項１から請求項４のいずれか記載の無線通信システム。
【請求項６】
前記系がサブネットワーク単位で構築され、前記サブネットワーク内でマスタ局のマイクロ波無線通信装置と複数のスレーブ局のマイクロ波無線通信装置との間で前記ポーリングセレクティブ方式を使用することを特徴とする請求項５記載の無線通信システム。
【請求項７】
前記最上位のマスタ局があるサブネットワークに接続されるサブネットワーク内の先頭のマイクロ波無線通信装置をサブマスタ局とすることを特徴とする請求項６記載の無線通信システム。
【請求項８】
外部指示に応じて自装置が前記マスタ局と前記サブ・マスタ局と前記スレーブ局とのいずれかに設定されたことを判別する判別手段を前記マイクロ波無線通信装置に含むことを特徴とする請求項７記載の無線通信システム。
【請求項９】
前記判別手段は、前記外部指示がない時に自装置が前記スレーブ局に設定されたものと判別することを特徴とする請求項８記載の無線通信システム。
【請求項１０】
前記サブネットワーク内のマイクロ波無線通信装置に対する監視制御を行うローカル用監視制御端末を含み、前記サブネットワーク内のマイクロ波無線通信装置各々に前記ローカル用監視制御端末を接続することを特徴とする請求項６から請求項９のいずれか記載の無線通信システム。
【請求項１１】
前記マスタ局及び前記マスタ局配下のマイクロ波無線通信装置を監視制御する統合監視制御端末を含み、前記統合監視制御端末を前記最上位のマスタ局のマイクロ波無線通信装置に接続したことを特徴とする請求項６から請求項１０のいずれか記載の無線通信システム。
【請求項１２】
前記統合監視制御端末は、前記アドレスの修正時に前記最上位のマスタ局の系構成情報を収集して画面上に表示し、少なくとも前記アドレス及び装置名の変更後に前記マスタ局と前記サブ・マスタ局とに新規系構成情報を送付することを特徴とする請求項１１記載の無線通信システム。
【請求項１３】
最上位のマスタ局からその配下の複数のスレーブ局へ効率的に監視制御を実施可能な無線通信システムを構成するマイクロ波無線通信装置であって、前記最上位のマスタ局及び前記複数のスレーブ局からなる系の構成情報を保持する系構成テーブルと、前記最上位のマスタ局及び前記複数のスレーブ局各々の間におけるＨＬＤＣ（Ｈｉｇｈ  ｌｅｖｅｌ  Ｄａｔａ  Ｌｉｎｋ  Ｃｏｎｔｒｏｌ）リンクが確立されたことを契機として当該ＨＬＤＣリンクが確立された装置にアドレスを割当てる割当て制御手段と、前記割当て制御手段で割当てられたアドレスを基に前記系構成テーブルの更新を行う制御手段とを有することを特徴とするマイクロ波無線通信装置。
【請求項１４】
前記最上位のマスタ局及び前記複数のスレーブ局各々の間において、１台ずつ無線区間及び有線区間を交互に順次繋ぐことによって全体の系を構成することを特徴とする請求項１３記載のマイクロ波無線通信装置。
【請求項１５】
前記割当て制御手段は、前記スレーブ局の増設時に順次前記最上位のマスタ局及び前記複数のスレーブ局各々の間における前記ＨＤＬＣリンクが確立したことを契機としてアドレス割当てを行い、
前記制御手段は、前記割当て制御手段で前記アドレス割当てが行われた時に前記系構成テーブルの更新を行うことを特徴とする請求項１３または請求項１４記載のマイクロ波無線通信装置。
【請求項１６】
前記ＨＤＬＣリンクの確立時に当該ＨＤＬＣリンクが確立したことを前記最上位のマスタ局に通知することを特徴とする請求項１３から請求項１５のいずれか記載のマイクロ波無線通信装置。
【請求項１７】
前記最上位のマスタ局からその配下の複数のスレーブ局へポーリング信号を送出しかつそのポーリング信号の応答にて監視制御を実施するポーリングセレクティブ方式を用いることを特徴とする請求項１３から請求項１６のいずれか記載のマイクロ波無線通信装置。
【請求項１８】
前記系がサブネットワーク単位で構築され、前記サブネットワーク内でマスタ局と複数のスレーブ局との間で前記ポーリングセレクティブ方式を使用することを特徴とする請求項１７記載のマイクロ波無線通信装置。
【請求項１９】
前記最上位のマスタ局があるサブネットワークに接続されるサブネットワーク内の先頭のマイクロ波無線通信装置をサブマスタ局とすることを特徴とする請求項１８記載のマイクロ波無線通信装置。
【請求項２０】
外部指示に応じて自装置が前記マスタ局と前記サブ・マスタ局と前記スレーブ局とのいずれかに設定されたことを判別する判別手段を含むことを特徴とする請求項１９記載のマイクロ波無線通信装置。
【請求項２１】
前記判別手段は、前記外部指示がない時に自装置が前記スレーブ局に設定されたものと判別することを特徴とする請求項２０記載のマイクロ波無線通信装置。
【請求項２２】
最上位のマスタ局のマイクロ波無線通信装置からその配下の複数のマイクロ波無線通信装置へ効率的に監視制御を実施可能な無線通信システムに用いられるアドレス自動割当て方法であって、前記マイクロ波無線通信装置側に、前記マイクロ波無線通信装置のＨＬＤＣ（Ｈｉｇｈ  ｌｅｖｅｌ  Ｄａｔａ  Ｌｉｎｋ  Ｃｏｎｔｒｏｌ）リンクが確立されたことを契機として当該ＨＬＤＣリンクが確立されたマイクロ波無線通信装置にアドレスを割当てる処理と、その割当てられたアドレスを基に前記マイクロ波無線通信装置からなる系の構成情報を保持する系構成テーブルの更新を行う処理とを有することを特徴とするアドレス自動割当て方法。
【請求項２３】
前記マイクロ波無線装置各々が１台ずつ無線区間及び有線区間を交互に順次繋ぐことによって全体の系を構成することを特徴とする請求項２２記載のアドレス自動割当て方法。
【請求項２４】
前記マイクロ波無線通信装置にアドレスを割当てる処理は、前記マイクロ波無線通信装置の増設時に順次前記マイクロ波無線通信装置間の前記ＨＤＬＣリンクが確立したことを契機としてアドレス割当てを行い、
前記系構成テーブルの更新を行う処理は、前記アドレス割当てが行われた時に前記系構成テーブルの更新を行うことを特徴とする請求項２２または請求項２３記載のアドレス自動割当て方法。
【請求項２５】
前記最上位のマスタ局以外のマイクロ波無線通信装置が、前記ＨＤＬＣリンクの確立時に当該ＨＤＬＣリンクが確立したことを前記最上位のマスタ局に通知することを特徴とする請求項２２から請求項２４のいずれか記載のアドレス自動割当て方法。
【請求項２６】
前記最上位のマスタ局のマイクロ波無線通信装置からその配下の複数のマイクロ波無線通信装置へポーリング信号を送出しかつそのポーリング信号の応答にて監視制御を実施するポーリングセレクティブ方式を用いることを特徴とする請求項２２から請求項２５のいずれか記載のアドレス自動割当て方法。
【請求項２７】
前記系がサブネットワーク単位で構築され、前記サブネットワーク内でマスタ局のマイクロ波無線通信装置と複数のスレーブ局のマイクロ波無線通信装置との間で前記ポーリングセレクティブ方式を使用することを特徴とする請求項２６記載のアドレス自動割当て方法。
【請求項２８】
前記サブネットワーク内の先頭のマイクロ波無線通信装置をサブマスタ局とすることを特徴とする請求項２７記載のアドレス自動割当て方法。
【請求項２９】
前記マイクロ波無線通信装置側に、外部指示に応じて自装置が前記マスタ局と前記サブ・マスタ局と前記スレーブ局とのいずれかに設定されたことを判別する処理を含むことを特徴とする請求項２８記載のアドレス自動割当て方法。
【請求項３０】
前記前記マスタ局と前記サブ・マスタ局と前記スレーブ局とのいずれかに設定されたことを判別する処理は、前記外部指示がない時に自装置が前記スレーブ局に設定されたものと判別することを特徴とする請求項２９記載のアドレス自動割当て方法。
【請求項３１】
前記サブネットワーク内のマイクロ波無線通信装置に対する監視制御を行うローカル用監視制御端末を前記サブネットワーク内のマイクロ波無線通信装置各々に接続することを特徴とする請求項２７から請求項３０のいずれか記載のアドレス自動割当て方法。
【請求項３２】
前記マスタ局及び前記マスタ局配下のマイクロ波無線通信装置を監視制御する統合監視制御端末を前記最上位のマスタ局のマイクロ波無線通信装置に接続したことを特徴とする請求項２７から請求項３１のいずれか記載のアドレス自動割当て方法。
【請求項３３】
前記統合監視制御端末が前記アドレスの修正時に前記最上位のマスタ局の系構成情報を収集して画面上に表示し、少なくとも前記アドレス及び装置名の変更後に前記マスタ局と前記サブ・マスタ局とに新規系構成情報を送付することを特徴とする請求項３２記載のアドレス自動割当て方法。
【発明の詳細な説明】
【技術分野】
【０００１】
本発明は無線通信システム、マイクロ波無線通信装置及びそれらの用いるアドレス自動割当て方法に関し、特にマイクロ波無線通信装置で系構成されるシステムにおけるアドレス自動割当て方法に関する。
【背景技術】
【０００２】
従来、マイクロ波無線通信装置で系構成されるシステムにおいては、図２に示すような構成となっている。図２において、２，３−１〜３−ｎはマイクロ波無線通信装置（以下、無線装置とする）を表わし、４はローカル用監視制御端末を表わし、５は統合監視制御端末を表わし、１０１〜１０ｎは無線区間を表わし、２０１〜２０（ｎ−１）は有線ケーブル接続区間を表わしている。
【０００３】
上記のシステム全体の構成としては、無線区間１０１〜１０ｎの単位で無線装置（マスタ局）２，無線区間１０１，無線装置（スレーブ局）３−１，有線区間２０１，無線装置（スレーブ局）３−２，無線区間１０２，無線装置（スレーブ局）３−３，有線区間２０２，・・・，有線区間２０（ｎ−１），無線装置（スレーブ局）３−（ｎ−１），無線区間１０ｎ，無線装置（スレーブ局）３−ｎという組合せで接続されている。
【０００４】
通常、無線装置の系には統合監視制御端末５が接続され、統合監視制御端末５が各装置の監視・制御を遠隔で行っている。各無線装置にアドレスを割当てる場合の１つの方法としては、装置出荷時に予め各無線装置にアドレス［例えば、装置ＩＤ（識別情報）等］を登録しておく方法がある。
【０００５】
この方法の場合には、装置増設時にシステム内でアドレス管理を実施している最上位マスタ局の無線装置２、または監視制御端末４のアドレス管理テーブル（データベース）（図示せず）に増設されたマイクロ波無線通信装置の必要情報を人手を介して入力する手間が発生する。
【０００６】
逆に、無線装置にアドレスが登録されていないシステムを考えた場合には、アドレスを自動で割振る方法に、ＴＣＰ／ＩＰ（Ｔｒａｎｓｍｉｓｓｉｏｎ  Ｃｏｎｔｒｏｌ／Ｉｎｔｅｒｎｅｔ  Ｐｒｏｔｏｃｏｌ）のＤＨＣＰ（Ｄｙｎａｍｉｃ  Ｈｏｓｔ  Ｃｏｎｆｉｇｕｒａｔｉｏｎ  Ｐｒｏｔｏｃｏｌ）プロトコルを用いることが考えられる。
【０００７】
この方法では、ネットワーク内のシステムのＩＰ（Ｉｎｔｅｒｎｅｔ  Ｐｒｏｔｏｃｏｌ）アドレスを一元管理するためのメカニズムを提供しており、ＤＨＣＰサーバはＤＨＣＰクライアントからの要求に応じてＩＰアドレスの割当てを行っている。
【０００８】
無線装置は、上述したように、そのシステム構成として、無線区間１０１〜１０ｎの単位で、無線装置（マスタ局）２，無線区間１０１，無線装置（スレーブ局）３−１，有線区間２０１，無線装置（スレーブ局）３−２，無線区間１０２，無線装置（スレーブ局）３−３，有線区間２０２，・・・，有線区間２０（ｎ−１），無線装置（スレーブ局）３−（ｎ−１），無線区間１０ｎ，無線装置（スレーブ局）３−ｎという組合せで接続される系構成になっており、最上位の無線装置２をＤＨＣＰサーバ、配下の無線装置３−１〜３−ｎを全てＤＨＣＰクライアント相当の機能を持たせることによって実現することができる。
【０００９】
また、ネットワークが途中、マルチドロップで複数に分岐して接続される系構成の場合にも、上記と同じように、各ネットワークの最上位の無線装置をＤＨＣＰサーバ、配下の無線装置を全てＤＨＣＰクライアントとして適応して実現することができる。
【００１０】
しかしながら、上述した従来のアドレス割当て方法では、システム内に無線区間があることによって、主信号に多重される補助信号（以下、ＳＶ回線とする）の帯域の狭い部分が存在し、フェージング等が発生することによって、無線区間の瞬断及び無線断が発生する可能性がある。通常、無線通信システムにおいては、１つのＳＶ回線が複数の無線装置で共有して使われることによって、ＤＨＣＰクライアントからのアドレス要求コマンドが他の制御コマンドや障害情報通知コマンド等の応答コマンドと衝突してしまうことが考えられる。
【００１１】
例えば、回線切替え制御等を実行している時に、アドレス要求コマンドとの衝突が発生してしまうと、制御コマンドが潰れてしまう可能性が考えられる。これは無線装置側の回線切替えコマンドが実行されたが、応答コマンドが失敗したので、結果として監視制御端末上の回線切替え制御が失敗するといったことが考えられる。
【００１２】
このほかには、無線装置の初期設置時にＤＨＣＰクライアントからＤＨＣＰサーバへ一斉にアドレス要求コマンドが送られ、衝突が複数発生してしまうと、各ＤＨＣＰクライアントにおいて再送処理が走り、ＳＶ回線上のトラフィック量がさらに増えてしまうことが考えられ、アドレス設定が完了した無線装置から発生する障害情報通知を遅延させる原因になる可能性がある。
【００１３】
また、ハードウェアで衝突を防ぐためにパケット監視機能を実現する回路を搭載すれば、ＤＨＣＰシステムを実現することができるが、ハードウェアが高価になるという問題もある。
【００１４】
さらに、従来のポーリングセレクティブ制御システムにおける問題に関して言及すると、無線通信システムにおいては、システムの運用状態を適正に保つために、装置の障害状況を監視している。通常、無線通信システムの監視制御は無線区間を一監視区間として監視制御センタにて遠隔で行う。各監視区間においては監視制御センタ側を上位側とし、上位側の無線局には監視制御機能のマスタ機能を有し、下位側の無線局には監視制御機能のスレーブ機能を有している。
【００１５】
マスタ局の無線装置とスレーブ局の無線装置とが無線区間で対向している系構成を１対向とし、各対向のマスタ局の無線装置はスレーブ局の無線装置が収集した装置の監視制御データを、ＳＶ回線を使用してポーリングセレクティブ方式によって収集及び制御する。
【００１６】
各無線装置の設置時には順次１対向ずつの組合せが有線ケーブルを使用して接続されることによって、１つのＳＶ回線が複数の無線装置で共有して使われる。これによって、監視制御センタ側の最上位が最上位マスタ局の無線装置となり、配下の無線装置が収集した各無線装置の監視制御データをＳＶ回線を使用してポーリングセレクティブ方式によって収集及び制御する。
【００１７】
監視制御センタに設置される監視制御端末は、最上位マスタ局の無線装置に接続され、ＳＶ回線で接続されている全ての無線装置を監視制御可能としている。監視制御端末は各無線装置を区別するためにアドレスを用いており、監視制御端末と各無線装置との間の送受信に使用するパケット情報にアドレス情報を含ませることによって監視制御が可能となっている。
【００１８】
しかしながら、無線装置の増設時には、手動による増設無線装置へのアドレス登録と、装置が増設されたことによって既設装置と増設装置とをトータルした新たな系構成の再構築による系構成テーブルの変更によって、各無線装置と監視制御端末とへ最新内容が反映された系構成テーブルを手動でダウンロードする必要がある。
【００１９】
既存のネットワークに接続された各無線装置には監視制御端末から順次ネットワークを介して必要情報を手動でダウンロードすることができるが、増設分の各装置に関しては、設置場所に予め必要情報がダウンロード済みの装置を持って行って設置するか、または設置場所にて無線装置に直接接続して必要情報をダウンロードすることができる保守端末を使用して必要情報をダウンロードする必要があり、各装置間の設置場所の距離が離れていることも重なり、保守員の作業時間がかかり、効率的ではないという問題がある。
【００２０】
また、無線装置の新設・増設に関わらず、監視制御端末及び保守端末から各装置へのアドレスや、系構成テーブルの手動での登録を誤る可能性があり、各無線装置への必要情報のダウンロードに関しては細心の注意をする必要がある。
【００２１】
さらに、無線装置へ誤った情報を仮にダウンロードしてしまった場合には、異常データダウンロードによる装置立上げ不可や、アドレスの重複登録による装置間のネットワーク接続異常となり、監視制御端末及び保守端末による監視制御を正常に実施することができないという問題と、原因を調査するのに各無線装置にダウンロードした情報を詳細にチェックする必要が生じ、多大な保守員の作業を要するという問題も合せて生じてしまう。
【００２２】
さらにまた、１対向と１対向との無線装置間の有線ケーブル接続にマルチドロップ接続が含まれている複雑な系構成が含まれた場合、装置間をポーリングセレクティブ方式によってデータ収集及び制御している時の自動アドレス割当てを考えた場合、最上位マスタ局の無線装置がパケットの中に予め新規に登録したい配下の無線装置のアドレスを入れてブロードキャスト送信し、新規に接続された配下の無線装置が反応して応答を返す通信方式では、新規に接続されたマルチドロップ接続のどの無線装置が受け取れば良いのかを判断することができないという制約があり、単純なルールでは対応することができないという問題がある。
【００２３】
上記の問題を解決するための方法としては、最上位マスタ局の無線装置から複数の無線装置へ効率的に監視制御を実施可能なポーリングセレクティブ制御システムにおいて、最初のマスタ局とスレーブ局との１対向に次の１対向を接続し、それらにさらに次の１対向を接続するというように、マスタ局とスレーブ局との１対向をそれぞれ有線ケーブルで順次接続して自動アドレス割当て及び系構成テーブルの更新を実施する方法が提案されている（例えば、特許文献１参照）。
【００２４】
この方法では、装置の増設時に設置場所において順次装置を接続すれば、あとは装置間でアドレス割当てを自動的に行うことで、保守員の作業効率化を図ることを可能としている。
【００２５】
【特許文献１】特開２００３−１２４９４６号公報
【発明の開示】
【発明が解決しようとする課題】
【００２６】
上述した従来のアドレス自動割当て方法では、上記の特許文献１に記載された技術の場合、１ＨＯＰ毎（無線を介した２装置単位）の有線ケーブルの接続を契機にしてネットワークへの装置増設かつ自動アドレス割当てを可能としている。
【００２７】
しかしながら、この１ＨＯＰ毎では、実際に無線区間の回線品質が悪くて繋がらない［ＨＤＬＣ（Ｈｉｇｈ  ｌｅｖｅｌ  Ｄａｔａ  Ｌｉｎｋ  Ｃｏｎｔｒｏｌ）リンクが確立しない）とか、１ＨＯＰの対向側の装置が故障していたとか、対向側の装置の電源がＯＦＦになっていたとかの状況が発生していた場合に対応することができないという問題がある。
【００２８】
そこで、本発明の目的は上記の問題点を解消し、１装置毎（無線側、有線側に関係なく）のネットワークへの増設で自動アドレス割当てを行うことができる無線通信システム、マイクロ波無線通信装置及びそれらの用いるアドレス自動割当て方法を提供することにある。
【課題を解決するための手段】
【００２９】
本発明による無線通信システムは、最上位のマスタ局のマイクロ波無線通信装置からその配下の複数のマイクロ波無線通信装置へ効率的に監視制御を実施可能な無線通信システムであって、前記マイクロ波無線通信装置からなる系の構成情報を保持する系構成テーブルと、前記マイクロ波無線通信装置のＨＬＤＣ（Ｈｉｇｈ  ｌｅｖｅｌ  Ｄａｔａ  Ｌｉｎｋ  Ｃｏｎｔｒｏｌ）リンクが確立されたことを契機として当該ＨＬＤＣリンクが確立されたマイクロ波無線通信装置にアドレスを割当てる割当て制御手段と、前記割当て制御手段で割当てられたアドレスを基に前記系構成テーブルの更新を行う制御手段とを前記マイクロ波無線通信装置に備えている。
【００３０】
本発明によるマイクロ波無線通信装置は、最上位のマスタ局からその配下の複数のスレーブ局へ効率的に監視制御を実施可能な無線通信システムを構成するマイクロ波無線通信装置であって、前記最上位のマスタ局及び前記複数のスレーブ局からなる系の構成情報を保持する系構成テーブルと、前記最上位のマスタ局及び前記複数のスレーブ局各々の間におけるＨＬＤＣ（Ｈｉｇｈ  ｌｅｖｅｌ  Ｄａｔａ  Ｌｉｎｋ  Ｃｏｎｔｒｏｌ）リンクが確立されたことを契機として当該ＨＬＤＣリンクが確立された装置にアドレスを割当てる割当て制御手段と、前記割当て制御手段で割当てられたアドレスを基に前記系構成テーブルの更新を行う制御手段とを備えている。
【００３１】
本発明によるアドレス自動割当て方法は、最上位のマスタ局のマイクロ波無線通信装置からその配下の複数のマイクロ波無線通信装置へ効率的に監視制御を実施可能な無線通信システムに用いられるアドレス自動割当て方法であって、前記マイクロ波無線通信装置側に、前記マイクロ波無線通信装置のＨＬＤＣ（Ｈｉｇｈ  ｌｅｖｅｌ  Ｄａｔａ  Ｌｉｎｋ  Ｃｏｎｔｒｏｌ）リンクが確立されたことを契機として当該ＨＬＤＣリンクが確立されたマイクロ波無線通信装置にアドレスを割当てる処理と、その割当てられたアドレスを基に前記マイクロ波無線通信装置からなる系の構成情報を保持する系構成テーブルの更新を行う処理とを備えている。
【００３２】
すなわち、本発明の無線通信システムは、最上位マスタ局のマイクロ波無線通信装置（以下、無線装置とする）から複数の無線装置へ効率的に監視制御を実施可能なポーリングセレクティブ制御システムにおいて、各無線装置への自動アドレス割振りを可能とすることを特徴とする。ポーリングセレクティブ制御を採用した場合には、ハードウェア、ソフトウェアの設計が複雑にならずに済むという利点も備えている。
【００３３】
本発明の無線通信システムでは、最上位マスタ局の無線装置から複数の無線装置へ効率的に監視制御を実施可能なポーリングセレクティブ制御システムにおいて、順次、無線装置のＨＬＤＣ（Ｈｉｇｈ  ｌｅｖｅｌ  Ｄａｔａ  Ｌｉｎｋ  Ｃｏｎｔｒｏｌ）リンクが確立されたことを契機として自動アドレス割当て及び系構成テーブルの更新を実施することによって、装置増設時に、設置場所に行って順次装置を繋げれば、後は装置間で自動的に運用状態が可能となり、保守員の作業効率化を図ることが可能となる。
【００３４】
また、本発明の無線通信システムでは、増設時に人を介してアドレス割当てや系構成テーブル情報をマイクロ波無線通信装置にダウンロードをしないことによって、誤って異常データを無線装置へダウンロードすることによる装置立ち上げ不可や、アドレスの重複登録による装置間のネットワーク接続異常等の監視制御端末による監視制御が正常に実施できなくなるという問題を回避することが可能となる。この場合、本発明の無線通信システムでは、その問題の原因を調査するために、各無線装置にダウンロードした情報を詳細にチェックする多大な保守員の作業を回避することが可能となる。
【００３５】
さらに、本発明の無線通信システムでは、有線接続にマルチドロップ接続が含まれている複雑な系構成においても、監視制御可能な無線装置数の管理及び自動アドレス割振り機能を動作可能としている。
【００３６】
本発明の無線通信システムでは、各無線装置を１台ずつ無線区間、有線区間交互に順次繋ぐことによって全体の系が構成されるマイクロ波無線通信システムにおいて、無線装置の増設時に順次無線装置間のＨＤＬＣリンクが確立したことを契機として自動アドレス割当て及び系構成テーブルの更新が行うことを特徴としている。
【００３７】
また、本発明の無線通信システムでは、ＨＤＬＣリンクの検出手段として無線装置に判る仕組みを予め組み込んでおくことで、無線装置増設時に、設置場所に行って順次装置を繋げれば、後は無線装置間で自動的に運用状態を可能とすることによって、保守員の作業効率化を図ることが可能となる。
【００３８】
さらに、本発明の無線通信システムでは、無線装置増設時に人を介してアドレス割当てや系構成テーブル情報を無線装置にダウンロードをしないことによって、誤って異常データを無線装置へダウンロードすることによる装置立ち上げ不可や、アドレスの重複登録による装置間のネットワーク接続異常等の監視制御端末よる監視制御が正常に実施できなくなるという問題を回避することが可能となる。この場合、本発明の無線通信システムでは、上記の問題の原因を調査するために、各無線装置にダウンロードした情報を詳細にチェックする多大な保守員の作業を回避することが可能となる。
【００３９】
一方、本発明の無線通信システムでは、無線装置の前面にモード切替えスイッチを設けることで、マスタ局、サブ・マスタ局、スレーブ局（Ｄｅｆａｕｌｔ）をユーザが人手を介して設定可能とすることによって、無線装置１台のモード切替えスイッチをマスタ局に変更するのみで、他の無線装置を順次繋げていけば、順次自動アドレス割当て及び系構成テーブルが更新されるため、設置場所にいながら系を構築することが可能となる。
【００４０】
この場合、各ローカルエリア内の各無線装置にはローカル用監視制御端末を繋ぐことで、ローカルエリア内の全無線装置に対する監視制御が可能となる。マスタ局はスレーブ局と主信号に多重される補助信号（ＳＶ回線）を使用してポーリングセレクティブ方式によって通信をしており、通信効率を考慮してサブネットワーク単位で系を構築し、サブネットワーク内でマスタ局の無線装置と複数のスレーブ局の無線装置との間でポーリングセレクティブ方式を使用する通信方式とする。
【００４１】
設置場所の地域間の接続は各サブネットワークを接続することによって、系構成を拡げていくことを特徴とし、その場合、片側のサブネットワークの先頭の無線装置はマスタ局からサブ・マスタ局にモード切替えスイッチで人を介して変更し、順次系を拡げられるようにしている。
【００４２】
地域間の各サブネットワーク接続後のネットワークにおいては、最上位のマスタ局に統合監視制御端末を繋ぐことで、マスタ局とマスタ局配下の全無線装置を監視制御可能としている。また、自動アドレス割当てで割振られたアドレスを全体的に修正したい場合には、統合監視制御端末でマスタ局の系構成情報を吸い上げ、画面上に表示し、ユーザがアドレスや装置名を変更可能とし、変更後、各無線装置のマスタ局とサブ・マスタ局とに統合監視制御端末から新規系構成情報を送付し、新規アドレスで系構成を再構築可能としている。
【発明の効果】
【００４３】
本発明は、以下に述べるような構成及び動作とすることで、１装置毎（無線側、有線側関係無く）のネットワークへの増設で自動アドレス割当てを行うことができるという効果が得られる。
【発明を実施するための最良の形態】
【００４４】
次に、本発明の実施例について図面を参照して説明する。図１は本発明の一実施例によるマイクロ波無線通信装置（以下、無線装置とする）の構成を示すブロック図である。図１において、無線装置１は制御部１１と、無線回路部（送受信）１２と、有線回路部（送受信）１３と、分岐用有線回路部（送受信）１４と、監視制御端末インタフェース部１５と、アドレス自動割振り制御部１６と、系構成テーブル１７と、自アドレス保持部１８と、スイッチ切替え制御部１９と、アンテナ２０とから構成されている。
【００４５】
無線装置１は系構成テーブル１７と、割振られた自装置のアドレスを保存する自アドレス保持部１８とを備えている。系構成テーブル１７においては自装置がマスタ（ＭＡＳＴＥＲ）局またはサブ・マスタ（ＳＵＢ−ＭＡＳＴＥＲ）局の無線装置として働く時に使用する。
【００４６】
また、アドレス自動割振り制御部１６においても、自装置がマスタ局またはサブ・マスタ局の無線装置として働く時に使用し、順次、無線装置間のＨＤＬＣ（Ｈｉｇｈ  ｌｅｖｅｌ  Ｄａｔａ  Ｌｉｎｋ  Ｃｏｎｔｒｏｌ）リンクが確立したことを契機として配下の無線装置にアドレスを割振っていく処理を行う。
【００４７】
スイッチ切替え制御部１９は人手を介してマスタ局、サブ・マスタ局、スレーブ局の切替えが自装置前面から操作され、自装置がどのタイプ（Ｔｙｐｅ）で動作すべきかの判断に使用される。
【００４８】
全体の制御に関しては、制御部１１、その他に無線回線部（送受信）１２、有線回線部（送受信）１３、アンテナ２０とから構成されている。さらに、ローカル（Ｌｏｃａｌ）エリア間の接続にマルチドロップが含まれる場合には、分岐用有線回線部（送受信）１４を使用して分岐で接続されたことを判断させるようにしている。
【００４９】
尚、オペレータがローカルエリア内で使用し、ローカルエリア内の無線装置を監視制御するローカル用監視制御端末（図示せず）や、最上位のマスタ局にのみ接続される全無線装置を統合監視制御する統合監視制御端末（図示せず）を繋げる時に必要とする監視制御端末インタフェース部１５を具備している。
【００５０】
図２は本発明の一実施例による無線通信システムの構成例を示すブロック図である。図２において、２，３−１〜３−ｎはマイクロ波無線通信装置（以下、無線装置とする）を表わし、４はローカル用監視制御端末を表わし、５は統合監視制御端末を表わし、１０１〜１０ｎは無線区間を表わし、２０１〜２０（ｎ−１）は有線ケーブル接続区間を表わしている。
【００５１】
上記のシステム全体の構成としては、無線区間１０１〜１０ｎの単位で無線装置（マスタ局）２，無線区間１０１，無線装置（スレーブ局）３−１，有線区間２０１，無線装置（スレーブ局）３−２，無線区間１０２，無線装置（スレーブ局）３−３，有線区間２０２，・・・，有線区間２０（ｎ−１），無線装置（スレーブ局）３−（ｎ−１），無線区間１０ｎ，無線装置（スレーブ局）３−ｎという組合せで接続されている。
【００５２】
上記のシステム構成において、マスタ局はスレーブ局と主信号に多重される補助信号（ＳＶ回線）を使用してポーリングセレクティブ方式によって通信をしている。また、無線装置２，３−１〜３−ｎは上述した図１に示す無線装置１と同様の構成となっている。
【００５３】
本実施例では、無線装置の増設時に、順次、無線装置間のＨＤＬＣリンクが確立したことを契機として、各無線装置にアドレスが自動で割振られて系が構成されていく。図２の点線で囲まれている部分はローカルエリアでのアドレス自動割振り処理単位を表している。
【００５４】
ローカルエリアＡは無線装置の１設置場所の例であり、１つのマスタ局と複数のスレーブ局とで構成されており、この単位を１サブネットワーク（ＳＵＢＮＥＴ）とし、各無線装置にはローカル用監視制御端末４を繋げてローカルエリアＡ内の全無線装置を監視制御可能としている。
【００５５】
また、各ローカルエリアＡ，Ｂ，Ｃはサブネットワーク単位で系構成され、その単位でさらにネットワークを接続することができ、最終的には１つのネットワークに統合できることを表している。このネッワークにおいて、最上位のマスタ局には統合監視制御端末５を繋ぐことで、マスタ局とそのマスタ局配下の全無線装置を監視制御可能としている。
【００５６】
ローカルエリアＣとローカルエリアＤとの接続に関しては、マルチドロップ接続が含まれている複雑な系構成であるが、この構成においてもアドレスが自動で割振られることを表している。
【００５７】
図３は図１の無線装置１の筐体の前面図である。図３において、無線装置１の前面には情報クリアボタン２１と、モード切替えスイッチ２２とを具備している。モード切替えスイッチ２２を設定することによって、無線装置１は自装置のタイプが何で動作すれば良いかを判断することができる。このモード切替えスイッチ２２を切替えることによって、スイッチ切替え制御部１９は自装置のタイプ［スレーブ局（Ｄｅｆａｕｌｔ）２２ａ、サブ・マスタ局２２ｂ、マスタ局２２ｃ］を判断することが可能となる。
【００５８】
情報クリアボタン２１は、一旦、装置間が接続されると、自動でアドレスが振られ、内部に自アドレスを保存しているので、既にアドレスを持っている無線装置を他の設置エリアに持っていく際に、内部情報をクリアさせる時に使用する。内部情報をクリアすることによって、新規エリア内に無線装置を増設した時に、再度、自動アドレス割振り動作が発生し、新規のアドレスを保存することが可能となる。
【００５９】
図４〜図１１は本発明の一実施例による無線通信システムの動作を示すシーケンスチャートであり、図１２〜図１４は図１に示す系構成テーブル１７の格納内容の変化を示す図である。これら図１〜図１４を参照して本発明の一実施例による自動アドレスの割振り方法について説明する。
【００６０】
まず、図４及び図５を参照して、ローカルエリア内という閉じた場所で、順次、装置を増設していった場合の自動アドレスの割振り方法についてその概略を説明する。ローカルエリアの例として図２のローカルエリアＡを用い、そのローカルエリアＡ内での動作について説明する。
【００６１】
無線装置（マスタ局）２はその前面のモード切替えスイッチ２２によってマスタ局２２ｃに設定される（図４のａ１）。無線装置（マスタ局）２は自装置をマスタ局と判断すると、アドレス「１」を自アドレスとして保存し（図４のａ２）、系構成テーブル１７を作成してアドレスを保存する（図４のａ３）。この時、作成する系構成テーブル１７の格納内容は図１２（ａ）に示すマスタ局の例に記されているテーブル１７ａに示す通りである。
【００６２】
このテーブル１７ａにおいては、アドレス、装置名、アドレス設定完了、Ｔｙｐｅ、分岐接続元がそれぞれ項目情報として保存できるようになっている。ここでの装置名に関しては、装置固有のシリアル番号（Ｓｅｒｉａｌ  Ｎｏ．）をＤｅｆａｕｌｔで登録しておく。変更が必要であれば、後で統合監視制御端末５上でも変更可能としている。
【００６３】
次に、無線装置（スレーブ局）３−１が無線装置（マスタ局）２に無線区間１０１にて接続されると、無線装置（マスタ局）２はその無線区間１０１が接続される時にＨＤＬＣリンクが確立したことを検出する（図４のａ４，ａ５）。
【００６４】
無線装置（マスタ局）２はＨＤＬＣリンクが確立したことを検出すると、現在の最大アドレス「１」に＋１したアドレス「２」を入れたポーリングパケットを作成し（図４のａ６）、そのポーリングパケットを無線装置（スレーブ局）３−１に送信する（図４のａ７，ａ８）。
【００６５】
無線装置（スレーブ局）３−１はアドレス「２」が入ったポーリングパケットを受信すると、アドレス「２」を自アドレスとして保存し（図４のａ９）、無線装置（マスタ局）２に応答を返信する（図４のａ１０）。無線装置（マスタ局）２は系構成情報テーブル１７の格納内容にアドレス「２」を追加して更新する（図４のａ１１）。
【００６６】
無線装置（スレーブ局）３−２が無線装置（スレーブ局）３−１に有線区間２０１にて接続されると、無線装置（スレーブ局）３−１は有線区間が接続される時にＨＤＬＣリンクが確立したことを無線装置（マスタ局）２に通知する（図４のａ１２，ａ１３）。
【００６７】
無線装置（マスタ局）２はＨＤＬＣリンクが確立したことを検出すると、現在の最大アドレス「２」に＋１したアドレス「３」を入れたポーリングパケットを作成し（図４のａ１４，ａ１５）、そのポーリングパケットを無線装置（スレーブ局）３−２に送信する（図４のａ１６，図５のａ１７）。
【００６８】
無線装置（スレーブ局）３−２はアドレス「３」が入ったポーリングパケットを受信すると、アドレス「３」を自アドレスとして保存し（図５のａ１８）、無線装置（マスタ局）２に応答を返信する（図５のａ１９）。無線装置（マスタ局）２は系構成情報テーブル１７の格納内容にアドレス「３」を追加して更新する（図５のａ２０）。
【００６９】
さらに、次々と装置が増設され、無線装置（スレーブ局）３−ｎが無線装置（スレーブ局）３−（ｎ−１）に無線区間１０ｎにて接続されると、無線装置（スレーブ局）３−（ｎ−１）は無線区間１０ｎが接続される時にＨＤＬＣリンクが確立したことを無線装置（マスタ局）２に通知する（図５のａ２１，ａ２２）。      
【００７０】
無線装置（マスタ局）２はＨＤＬＣリンクが確立したことを検出すると、現在の最大アドレス「ｎ」に＋１したアドレス「ｎ＋１」を入れたポーリングパケットを作成し（図５のａ２３，ａ２４）、そのポーリングパケットを無線装置（スレーブ局）３−ｎに送信する（図５のａ２５，ａ２６）。
【００７１】
無線装置（スレーブ局）３−ｎはアドレス「ｎ＋１」が入ったポーリングパケットを受信すると、アドレス「ｎ＋１」を自アドレスとして保存し（図５のａ２７）、無線装置（マスタ局）２に応答を返信する（図５のａ２８）。無線装置（マスタ局）２は系構成情報テーブル１７の格納内容にアドレス「ｎ＋１」を追加して更新する（図５のａ２９）。
【００７２】
また、増設時の各装置に関しては、各装置の前面のモード切替えスイッチ２２を何も触らないことによって、スレーブ局（Ｄｅｆａｕｌｔ）２２ａ設定になっていることを表している。
【００７３】
順次、マスタ局にスレーブ局を増設していった場合の系構成テーブル１７は、図１２（ｂ）に示すマスタ局に装置を繋いだ場合の例に記されているテーブル１７ｂのようになる。アドレス設定完了項目は、マスタ局がスレーブ局から応答を受信したことを契機にアドレス設定完了と判断し、「×」→「○」に更新をかけていく。
【００７４】
次に、図６及び図７を参照して、図２に示すローカルエリアＡとローカルエリアＢとの各サブネットワークが接続されてネットワークを拡張する方法の概略について説明する。ローカルエリアＡ及びローカルエリアＢは既に、上記の図４及び図５を参照して説明したエリア内の自動アドレス割振り動作が完了しているものとする。
【００７５】
まず、ローカルエリアＡに統合監視制御端末５を繋げるマスタ局があるエリアとした場合には、ローカルエリアＢのマスタ局の装置前面のモード切替えスイッチ２２をマスタ局２２ｃからサブ・マスタ局２２ｂに設定変更する（図６のｂ１）。
【００７６】
ネットワークを拡張するために、ローカルエリアＢの先頭局のサブ・マスタ局と、ローカルエリアＡの最後尾のスレーブ局とを有線で接続させると、最後尾のスレーブ局は有線区間が接続される時にＨＤＬＣリンクが確立したことをローカルエリアＡのマスタ局に通知する（図６のｂ２，ｂ３）。
【００７７】
ローカルエリアＡのマスタ局はＨＤＬＣリンクが確立したことを検出すると（図６のｂ４）、現在の最大アドレス「（ｎ＋１）」に＋１したアドレス「（ｎ＋１）＋１」を入れたポーリングパケットを作成し（図６のｂ５）、ローカルエリアＢのサブ・マスタ局に送信する（図６のｂ６，ｂ７）。
【００７８】
ローカルエリアＢのサブ・マスタ局はマスタ局からサブ・マスタ局に切替わった局なので、今までの系構成テーブル１７の内容をポーリング応答に入れて、ローカルエリアＡのマスタ局に返信する（図６のｂ８，ｂ９）。
【００７９】
ローカルエリアＡのマスタ局は受信したパケット内容を取り込み、自局で保存している系構成テーブル１７に、受信したパケットに入っていたローカルエリアＢの系構成情報を追記し、新規のアドレスによる再割振りを行う（図６のｂ１０）。ローカルエリアＡのマスタ局はローカルエリアＢの新規アドレスをローカルエリアＢのサブ・マスタ局に送信する（図６のｂ１１）。
【００８０】
ローカルエリアＢのサブ・マスタ局はパケットを受信すると、配下のスレーブ局に旧アドレスで、新規のアドレス情報を付加してポーリングで送信する。各スレーブ局は新規のアドレスを内部に保存する（図７のｂ１２）。ローカルエリアＢのサブ・マスタ局は全スレーブ局の更新終了後、ローカルエリアＡのマスタ局に新規アドレス更新終了通知を送信する（図７のｂ１３）。
【００８１】
ローカルエリアＢのサブ・マスタ局は新規アドレス更新終了通知の送信後、ローカルエリアＢの新しい系構成情報を追加して更新し、更新後、通常のポーリング処理を開始する（図７のｂ１４）。
【００８２】
また、ローカルエリアＡのマスタ局は新規アドレス更新終了通知を受信後（図７のｂ１５）、系構成情報にローカルエリアＢの系構成情報の新規アドレスを追加して更新し、更新後、（ローカルエリアＡ）＋（ローカルエリアＢの先頭局のみ）での通常のポーリング処理を開始する（図７のｂ１６）。
【００８３】
上述したシーケンスのローカルエリアＡのマスタ局での系構成情報のテーブルは、図１３に示すマスタ局にサブ・マスタ局が繋がった場合の例に記されているテーブル１７ｃ［図１３（ａ）参照］からテーブル１７ｄ［図１３（ｂ）参照］のように変更される。
【００８４】
ローカルエリアＡにローカルエリアＢに繋がった場合、ローカルエリアＡのマスタ局のアドレス「１」からアドレス「６」までのテーブルに、新規のローカルエリアＢのサブ・マスタ局で管理していたアドレス「１」からアドレス「６」までが追加され、マスタ局が再度アドレス割振りをし直すので、追加された情報はアドレス「７」からアドレス「１２」に変更され、系構成テーブル１７上も更新が実施される。
【００８５】
正常にローカルエリアＢでの新規アドレスの登録が完了すると、ローカルエリアＡのマスタ局はローカルエリアＢのサブ・マスタ局から完了通知を受信するのを契機に、系構成テーブル１７のアドレス設定完了情報を「×」→「○」に更新することで、系構成情報のテーブル更新が完了する。
【００８６】
次に、図８及び図９を参照して、図２で示されるローカルエリアＣとローカルエリアＤとのマルチドロップ接続を含む複雑な系構成であってもアドレスを自動的に割振る方法の概略について説明する。この場合には、ローカルエリアＡ、ローカルエリアＣ、ローカルエリアＤが既に、上述した図４及び図５を参照して説明したエリア内の自動アドレス割振り動作が完了しているものとする。
【００８７】
まず、上記の図６及び図７に示すシーケンスと同様に、ローカルエリアＡに統合監視制御端末５を繋げるマスタ局があるエリアとした場合には、マルチドロップで接続されるローカルエリアＤのマスタ局の装置前面のモード切替えスイッチ２２をマスタ局２２ｃからサブ・マスタ局２２ｂに設定変更する（図８のｃ１）。
【００８８】
ネットワークを拡張するために、ローカルエリアＤの先頭局のサブ・マスタ局と、ローカルエリアＣのサブ・マスタ局とを有線で接続させると、既にローカルエリアＣのサブ・マスタ局の有線のＰｏｒｔはローカルエリアＢに繋がり、使用されてしまっているので、ローカルエリアＣのサブ・マスタ局の有線の分岐用のもう一方のＰｏｒｔにローカルエリアＤのサブ・マスタ局を繋げ、特殊なマルチドロップの接続であることを判断させる（図８のｃ２）。
【００８９】
ローカルエリアＣのサブ・マスタ局は有線の分岐用のもう一方のＰｏｒｔにローカルエリアＤのサブ・マスタ局が繋がった時にＨＤＬＣリンクが確立したことをローカルエリアＡのマスタ局に通知する（図８のｃ３）。
【００９０】
ローカルエリアＡのマスタ局はＨＤＬＣリンクが確立したことを検出すると（図８のｃ４）、現在の最大アドレスに＋１したアドレス「ｘ」を入れたポーリングパケットを作成し（図８のｃ５）、ローカルエリアＤのサブ・マスタ局に送信する（図８のｃ６，ｃ７）。
【００９１】
ローカルエリアＤのサブ・マスタ局はマスタ局からサブ・マスタ局に切替わった局なので、今までの系構成情報テーブルの内容をポーリング応答に入れて、ローカルエリアＡのマスタ局に返信する（図８のｃ８，ｃ９）。
【００９２】
ローカルエリアＡのマスタ局は受信したパケット内容を取り込み、自局で保存している系構成テーブル１７に、受信したパケットに入っていたローカルエリアＤの系構成情報を追記し、新規のアドレスによる再割振りを行う（図８のｃ１０）。ローカルエリアＡのマスタ局はローカルエリアＤの新規アドレスをローカルエリアＤのサブ・マスタ局に送信する（図８のｃ１１）。
【００９３】
ローカルエリアＤのサブ・マスタ局はパケットを受信すると、配下のスレーブ局に旧アドレスで、新規のアドレス情報を付加してポーリングで送信する。各スレーブ局は新規のアドレスを内部に保存する。ローカルエリアＤのサブ・マスタ局は、全スレーブ局の更新終了後、ローカルエリアＡのマスタ局と分岐元になったローカルエリアＣのサブ・マスタ局とに新規アドレス更新終了通知を送信する（図９のｃ１２，ｃ１３，ｃ１４）。
【００９４】
ローカルエリアＤのサブ・マスタ局は新規アドレス更新終了通知を送信後、ローカルエリアＤの新系構成情報を更新し、更新後、ローカルエリアＤ内で、通常のポーリング処理を開始する（図９のｃ１５）。
【００９５】
また、ローカルエリアＣのサブ・マスタ局ではローカルエリアＤのサブ・マスタ局からの新規アドレス更新終了通知を受信すると、ローカルエリアＣのサブ・マスタ局上の系構成情報にローカルエリアＤのサブ・マスタ局の新規アドレスを追加して更新し（図９のｃ１６）、更新後、ローカルエリアＣ内で、（ローカルエリアＣ）＋（ローカルエリアＤの先頭局のみ）での通常のポーリング処理を開始する（図９のｃ１７）。
【００９６】
ローカルエリアＡのマスタ局はローカルエリアＤのサブ・マスタ局からの新規アドレス更新終了通知を受信すると、系構成情報にローカルエリアＤの系構成情報の新規アドレスを追加して更新する（図９のｃ１８）。
【００９７】
上記の図８及び図９を参照して説明したシーケンスのローカルエリアＡのマスタ局での系構成テーブル１７は、図１４に示す分岐でサブ・マスタ局が繋がった場合の例に記されているテーブル１７ｅ［図１４（ａ）参照］からテーブル１７ｆ［図１４（ｂ）参照］のように変化する。
【００９８】
ローカルエリアＡ，Ｂ，Ｃのネットワークに、分岐元をローカルエリアＣとしてローカルエリアＤが繋がった場合、ローカルエリアＡのマスタ局のアドレス「１」からアドレス「６」までのテーブルに新規のローカルエリアＤのサブ・マスタ局で管理していたアドレス「１」からアドレス「６」までが追加され、マスタ局が再度ドレス割振りをし直すので、追加された情報はアドレス「７」からアドレス「１２」に変更され、系構成テーブル１７上も更新が実施される。
【００９９】
正常にローカルエリアＤでの新規アドレスの登録が完了すると、ローカルエリアＡのマスタ局はローカルエリアＤのサブ・マスタ局から完了通知を受信するのを契機に、系構成テーブル１７のアドレス設定完了情報を「×」→「○」に更新し、さらにローカルエリアＤのサブ・マスタ局のアドレスに分岐元のエリアＣの情報も追加し、系構成テーブル１７の更新が完了する。本実施例では、上記のように複雑なマルチドロップの接続例の場合にも応用することができる。
【０１００】
次に、図１０及び図１１を参照して、各ローカルエリア内またはエリア間で順次アドレスの自動割当てが実行された後、最終的にユーザの方でアドレスを再設定したい場合のアドレスの更新方法の概略について説明する。
【０１０１】
この場合には、図２の統合監視制御端末５において、全ネットワークの情報をユーザが変更しやすいように画面上に表示し、各装置のアドレス及び装置名等を変更することができるようにし、新しいアドレスで系構成を作成し、作成後、各ローカルエリアのマスタ局、サブ・マスタ局に新規アドレス情報をサブネットワーク毎に送ることによって、ネットワークの各装置のアドレスが新規のアドレスに更新される。
【０１０２】
ローカルエリアＡ，Ｂ，Ｃ，Ｄと全てローカル側で１つのネットワークとして接続され、ローカルエリアＡのマスタ局が全装置のアドレスを系構成テーブル１７に更新済みの環境において、ローカルエリアＡのマスタ局に統合監視制御端末５を接続する。
【０１０３】
統合監視制御端末５は、まずリンクが確立するので（図１０のｄ１）、リンク確立後、ローカルエリアＡのマスタ局に系構成情報要求コマンドを送信する（図１０のｄ２）。ローカルエリアＡのマスタ局は系構成情報要求コマンドを受信すると、系構成情報を統合監視制御端末５へ送信する（図１０のｄ３）。
【０１０４】
統合監視制御端末５は取得した全装置ネットワークの系構成情報を画面上にユーザがわかり易いよう表示し（図１０のｄ４）、ユーザの指示によってアドレスや装置名を画面上で変更すると（図１０のｄ５）、新しい系構成を再構築し、接続されている各ローカルエリアのマスタ局、サブ・マスタ局毎に新規系構成情報を送信する（図１０のｄ７，ｄ１０，図１１のｄ１３，ｄ１６）。
【０１０５】
その時に新しいアドレス体系に変更になるので、今までの接続が一旦切れていくため、最後尾のローカルエリアＤから新規系構成情報の送信を実施する。まず、統合監視制御端末５はローカルエリアＤのサブ・マスタ局に新規系構成情報を送付する（図１０のｄ７）。
【０１０６】
ローカルエリアＤのサブ・マスタ局は新規系構成情報を受信すると、ローカルエリアＤの最後尾の装置から順番に新規アドレスを送付し、各装置は新規アドレスの受信後、その新規アドレスに更新する（図１０のｄ８）。ローカルエリアＤのサブ・マスタ局はローカルエリアＤ内の全ての装置のアドレス更新を確認後、新規系構成更新終了をローカルエリアＡのマスタ局に通知する（図１０のｄ９）。
【０１０７】
同様に、ローカルエリアＣ，Ｂ，Ａに関しても、統合監視制御端末５から各ローカルエリアＣ，Ｂ，Ａの先頭局に新規系構成情報を送信し（図１０のｄ１０，図１１のｄ１３，ｄ１６）、上記の処理を実行する（図１０のｄ１１，図１１のｄ１２，ｄ１４，ｄ１５，ｄ１７，ｄ１８）。
【０１０８】
全てのローカルエリアＤ，Ｃ，Ｂ，Ａへの新規アドレスの登録の完了を確認したところで、統合監視制御端末５は新規系構成情報を画面上に展開し、新規の装置の監視情報を各装置に取得しにいき（図１１のｄ１９）、通常の統合監視制御を行うモードに移行する。
【０１０９】
このように、本実施例では、各無線装置を１台ずつ無線区間、有線区間交互に順次繋がれることによって全体の系が構成される無線通信システムにおいて、無線装置の増設時に、順次、無線装置間のＨＤＬＣリンクが確立したことを契機として自動アドレス割当て及び系構成テーブルの更新を行うようにし、ＨＤＬＣリンクの検出手段として無線装置に判る仕組みを予め組み込んでおく。それによって、無線装置の増設時には設置場所に行って順次装置を繋げれば、後は無線装置間で自動的に運用状態を可能とすることによって、保守員の作業効率化を図ることができる。
【０１１０】
また、本実施例では、無線装置の増設時に人手を介してアドレス割当てや系構成テーブル情報を無線装置にダウンロードかる必要がなくなることによって、誤って異常データを無線装置へダウンロードすることによる装置立ち上げ不可や、アドレスの重複登録による装置間のネットワーク接続異常等の監視制御端末による監視制御が正常に実施できなくなるという問題を回避することができる。この場合には、その問題の原因を調査するために、各無線装置にダウンロードした情報を詳細にチェックするための多大な保守員の作業を回避することができる。
【０１１１】
さらに、本実施例では、無線装置の前面にモード切替えスイッチ２２を設けることで、マスタ局２２ｃ、サブ・マスタ局２２ｂ、スレーブ局（Ｄｅｆａｕｌｔ）２２ａをユーザが人手を介して設定可能となることによって、１台の無線装置のモード切替えスイッチ２２をマスタ局に変更するのみで、他の無線装置を順次繋げていけば、順次、自動アドレス割当て及び系構成テーブル１７の更新が行われるので、設置場所にいながら系を構築することができる。
【０１１２】
さらにまた、本実施例では、通信効率を考慮してサブネットワーク単位で系を構築し、設置場所の地域間の接続を各サブネットワークの接続によって行うことで、系構成を拡げていくことができる。この場合、片側のサブネットワークの先頭の無線装置はマスタ局からサブ・マスタ局にモード切替えスイッチ２２で人手を介して変更し、順次系を拡げることができる。
【０１１３】
一方、自動アドレス割当てで割振られたアドレスを全体的に修正したい場合には、統合監視制御端末５でマスタ局の系構成情報を吸い上げ、画面上に表示し、ユーザがアドレスや装置名を変更することができ、その後、各無線装置のマスタ局とサブ・マスタ局とに統合監視制御端末５から新規の系構成情報を送付し、新規アドレスで系構成を再構築することができる。
【０１１４】
したがって、本実施例では、１装置毎（無線側、有線側に関係なく）のネットワークへの増設で、つまり１装置毎に対応することによって、１台でも多くネットワークに増設することができ、かつ自動アドレス割当てを実施することができる。
【０１１５】
また、本実施例では、マスタ局にスレーブ局からのポーリングの応答が返ってきたか、こないかでサブネットワーク内の装置を増設することができ、かつ自動アドレス割当てを簡単に判断することができるようにし、サブネットワークの増設を、装置内にスイッチ切替え制御部１９を設けることによって、ユーザが増設作業時にユーザの手動で確実にサブネットワークを区切れるようにしている。この場合、マルチドロップで繋がるサブネットワークに関しても、上述した処理の応用によって簡単に増設可能としている。
【図面の簡単な説明】
【０１１６】
【図１】本発明の一実施例によるマイクロ波無線通信装置の構成を示すブロック図である。
【図２】本発明の一実施例による無線通信システムの構成例を示すブロック図である。
【図３】図１の無線装置の筐体の前面図である。
【図４】本発明の一実施例による無線通信システムの動作を示すシーケンスチャートである。
【図５】本発明の一実施例による無線通信システムの動作を示すシーケンスチャートである。
【図６】本発明の一実施例による無線通信システムの動作を示すシーケンスチャートである。
【図７】本発明の一実施例による無線通信システムの動作を示すシーケンスチャートである。
【図８】本発明の一実施例による無線通信システムの動作を示すシーケンスチャートである。
【図９】本発明の一実施例による無線通信システムの動作を示すシーケンスチャートである。
【図１０】本発明の一実施例による無線通信システムの動作を示すシーケンスチャートである。
【図１１】本発明の一実施例による無線通信システムの動作を示すシーケンスチャートである。
【図１２】（ａ），（ｂ）は図１に示す系構成テーブルの格納内容の変化を示す図である。
【図１３】（ａ），（ｂ）は図１に示す系構成テーブルの格納内容の変化を示す図である。
【図１４】（ａ），（ｂ）は図１に示す系構成テーブルの格納内容の変化を示す図である。
【符号の説明】
【０１１７】
１  マイクロ波無線通信装置
２  マイクロ波無線通信装置（マスタ局）
３−１〜３−ｎ  マイクロ波無線通信装置（スレーブ局）
４  ローカル用監視制御端末
５  統合監視制御端末
１１  制御部
１２  無線回路部（送受信）
１３  有線回路部（送受信）
１４  分岐用有線回路部（送受信）
１５  監視制御端末インタフェース部
１６  アドレス自動割振り制御部
１７  系構成テーブル
１８  自アドレス保持部
１９  スイッチ切替え制御部
２０  アンテナ
２１  情報クリアボタン
２２  モード切替えスイッチ
２２ａ  スレーブ局（Ｄｅｆａｕｌｔ）
２２ｂ  サブ・マスタ局
２２ｃ  マスタ局
Ａ，Ｂ，Ｃ，Ｄ  ローカルエリア
【図１】
2005347982.tif 000003
【図２】
2005347982.tif 000004
【図３】
2005347982.tif 000005
【図４】
2005347982.tif 000006
【図５】
2005347982.tif 000007
【図６】
2005347982.tif 000008
【図７】
2005347982.tif 000009
【図８】
2005347982.tif 000010
【図９】
2005347982.tif 000011
【図１０】
2005347982.tif 000012
【図１１】
2005347982.tif 000013
【図１２】
2005347982.tif 000014
【図１３】
2005347982.tif 000015
【図１４】
2005347982.tif 000016